(57)【要約】【課題】ダムウェーターの作業性に影響を与えることなく、上下に仕切られたかごの内部全体を明るくすることである。【解決手段】かご１の片側の側壁５に形成した凹部７に、棚板２で仕切られた上下の荷物載置室３、４を同時に照らす照明装置８を設けることにより、各載置室３、４に別々に照明装置を設けなくてもかご１の内部全体が明るくなるようにしたのである。【選択図】図２
2006199388.tif 000002
【特許請求の範囲】
【請求項１】
建物内に設けられた昇降路を昇降するかごの内部が上下に複数の荷物載置室に仕切られたダムウェーターにおいて、前記かごの側壁に、照明装置をその光源が前記各荷物載置室に跨るように設けたことを特徴とするダムウェーター。
【請求項２】
前記照明装置の光源を棒状のものとし、この棒状光源の背面側に、棒状光源の周方向に沿って複数回折り曲げられて凹状に形成された反射面を有する反射板を設けたことを特徴とする請求項１に記載のダムウェーター。
【請求項３】
前記照明装置が、前記かごの側壁に形成された凹部に収納されていることを特徴とする請求項１または２に記載のダムウェーター。
【発明の詳細な説明】
【技術分野】
【０００１】
本発明は、建物内に設けられた昇降路を昇降するかごで比較的小さい荷物を運搬する小荷物専用昇降機（以下、「ダムウェーター」と記す。）に関する。
【背景技術】
【０００２】
複数階の店舗やオフィス等の建物に設置されるダムウェーターは、建物内に設けられた昇降路を昇降するかごにより、上下階間で料理や書類等の比較的小さい荷物を運搬するもので、運搬効率を上げる等の目的のために、かごの内部を棚板等で上下に複数の荷物載置室に仕切っていることが多い（例えば、特許文献１参照。）。
【０００３】
しかし、上記のようにかご内部が上下に仕切られたダムウェーターは、かごの天井部に照明装置を設けても、その光が棚板等の仕切りで遮られて下側の荷物載置室には届かない。このため、下側の載置室は、奥の方が薄暗くなりやすく、載せた荷物を取り忘れることがある。また、内面の汚れが目に付きにくいため、料理等を運搬する場合に衛生面で不具合が生じるおそれもある。
【０００４】
これに対して、照明装置をかご天井部だけでなく棚板等の仕切りの下面側にも設けるようにすれば、下側の荷物載置室も明るさを確保することができる。しかし、この場合は、照明装置が増える分だけ製造コストが高くなるうえ、仕切りを取り外したり仕切位置を変えたりするときの取り扱いが面倒となる。また、仕切りの下面から突出するように設けられた照明装置が、下側載置室への荷物の出し入れの邪魔になることもある。
【特許文献１】特開２００２−３０２３６２号公報
【発明の開示】
【発明が解決しようとする課題】
【０００５】
本発明の課題は、ダムウェーターの作業性に影響を与えることなく、上下に仕切られたかごの内部全体を明るくすることである。
【課題を解決するための手段】
【０００６】
上記の課題を解決するために、本発明は、建物内に設けられた昇降路を昇降するかごの内部が上下に複数の荷物載置室に仕切られたダムウェーターにおいて、前記かごの側壁に、照明装置をその光源が前記各荷物載置室に跨るように設けた構成を採用した。
【０００７】
すなわち、上下の荷物載置室を同時に照らす照明装置をかごの側壁に設けることにより、各載置室に別々に照明装置を設けなくても、かごの内部全体が明るくなるようにしたのである。
【０００８】
上記の構成において、前記照明装置の光源を棒状のものとすることにより、点状光源を使用する場合よりも各載置室を均一に照らせるとともに、この棒状光源の背面側に、棒状光源の周方向に沿って複数回折り曲げられて凹状に形成された反射面を有する反射板を設けることにより、棒状光源が発する光を効率よく反射させて、かご内部の明るさをさらに向上させることができる。
【０００９】
また、前記照明装置を前記かごの側壁に形成した凹部に収納することにより、照明装置が各載置室への荷物の出し入れの邪魔にならないようにすることができる。
【発明の効果】
【００１０】
本発明は、上述したように、ダムウェーターのかごの側壁に照明装置を設けて、上下に複数の荷物載置室に仕切られたかごの内部全体が明るくなるようにしたので、各荷物載置室に載せた荷物の取り忘れを防止できるし、各載置室の汚れを目に付きやすくして清潔さの維持に寄与することができる。しかも、各載置室に別々に照明装置を設ける必要がないので、製造コストを抑えられるし、かご内の仕切りの下面に照明装置を設ける場合のように仕切りの取り扱いが面倒になることもない。
【００１１】
ここで、前記照明装置の光源を棒状のものとし、この棒状光源の背面側に設けられる反射板の反射面を、棒状光源の周方向に沿って複数回折り曲げて凹状に形成すれば、かごの内部全体を一層明るくすることができる。
【００１２】
また、照明装置をかご側壁の凹部に収納すれば、各載置室への荷物の出し入れの際にも照明装置が邪魔にならず、従来と同じ作業性を確保できる。
【発明を実施するための最良の形態】
【００１３】
以下、図面に基づき、この発明の実施形態を説明する。このダムウェーターは、図１に示すかご１を建物内に設けられた昇降路（図示省略）で昇降させて、かご１に載せた比較的小さい荷物を運搬するものである。
【００１４】
前記かご１は、図１に示すように、正面に荷物の出入口を有する矩形の箱型で、荷物出入口が図示省略したかご戸で開閉されるようになっており、その内部は棚板２により上下に２つの荷物載置室３、４に仕切られている。そして、両側の側壁５の内面には、３レベルの高さ方向位置に棚板２の側端部を支持するフック６が４個ずつ取り付けられ、簡単に棚板２を移動させて両荷物載置室３、４の仕切位置を変えられるようになっている。また、図２に示すように、左側の側壁５には凹部７が形成され、この凹部７に各載置室３、４を同時に照らす照明装置８が収納されている。
【００１５】
前記かご１の左側壁５の凹部７は、側壁５に長方形の開口をあけ、この開口に対応する開口部を有する箱形のカバー９をその張出部９ａで側壁５外面の開口周縁部にねじ止めすることにより形成したもので、その開口は透明なアクリル板１０で塞がれ、凹部７に収納された照明装置８が荷物との接触によって破損しないようになっている。
【００１６】
前記照明装置８は、棒状光源としての直管形蛍光灯１１と、蛍光灯１１の背面側に設けられた樋状の反射板１２と、反射板１２の溝の両端および中央に嵌め込まれた蛍光灯１１の保持部材１３と、安定器１４とで構成されている。反射板１２および安定器１４は、カバー９自体に取り付けられ、メンテナンス等の際には、かご１の上方や下方から照明装置８全体がカバー９と一体に容易に着脱できるようになっている。また、蛍光灯１１は、両荷物載置室３、４に跨るように取り付けられており、各載置室３、４を同時に照らしている。このように、照明装置８の光源として棒状の直管形蛍光灯１１を用いることにより、点状光源を使用する場合よりも各載置室３、４を均一に照らすことができる。なお、蛍光灯１１には、管径の細いタイプのものが使用されている。これは、カバー９を薄型にしてかご１側方の比較的狭いスペースに納められるようにするためである。
【００１７】
また、反射板１２は、図３（ａ）、（ｂ）に示すように、溝縁部にカバー９への取付部１２ａが形成され、溝底部には、蛍光灯１１の周方向に沿って複数回折り曲げられた凹状の反射面１２ｂが形成されている。この反射面１２ｂは、蛍光灯１１が発する光を効率よく反射させることができ、かご内部の明るさの向上に寄与している。
【００１８】
このダムウェーターは、上記の構成であり、かご１の上下の荷物載置室３、４がかご１の側壁５に設けた照明装置８に照らされて全体に明るくなっているので、各載置室３、４の奥側に載せた荷物も取り忘れることがない。また、各載置室３、４の汚れを確実に把握でき、それに基づいて適時清掃を行うことにより清潔さを保てるので、料理等、衛生面の管理が必要な荷物の運搬にも有効に使用できる。
【００１９】
しかも、照明装置８が側壁５の凹部７に収納されているので、各載置室３、４への荷物の出し入れや棚板２の移動の邪魔にならず、従来と同じく良好な作業性を確保できる。また、照明装置をかご天井部に設ける場合に比べると、かご１上方のスペースが広くなるため、かご１上面に排気装置を設置する等、このスペースを有効に使うことができる。
【００２０】
上述した実施形態では、照明装置をかごの片側の側壁に設けたが、両側の側壁に設けてもよいし、奥の側壁に設けるようにしてもよい。また、照明装置の光源は、棒状の蛍光灯に限らず、他の形状の蛍光灯や、発光方式の異なるものを採用することもできる。
【図面の簡単な説明】
【００２１】
【図１】実施形態のダムウェーターのかごの外観斜視図
【図２】図１のかごの要部の正面断面図
【図３】ａは図２の照明装置の反射板の外観斜視図、ｂはａの横断面図
【符号の説明】
【００２２】
１  かご
２  棚板
３、４  荷物載置室
５  側壁
６  フック
７  凹部
８  照明装置
９  カバー
９ａ 張出部
１０  アクリル板
１１  蛍光灯
１２  反射板
１２ａ  取付部
１２ｂ  反射面
１３  保持部材
１４  安定器
【図１】
2006199388.tif 000003
【図２】
2006199388.tif 000004
【図３】
2006199388.tif 000005